(57)【特許請求の範囲】
【請求項１】
少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行う第１のサーチ手段と、前記第１のサーチ手段によって制限されたセルサーチ帯域内の複数のキャリア各々に対してコード同定からコード電力測定までを行って仮待ち受けセルを決定する第２のサーチ手段とを有し、
前記第１のサーチ手段は、前記所定帯域の受信電力を測定可能な受信電力測定回路と、前記受信電力測定回路の測定結果をソートするバンドソート回路とからなり、
前記バンドソート回路は、前記測定結果から前記セルサーチ帯域の順位付け及び制限のうちの少なくとも一方を行い、
前記第２のサーチ手段は、前記セルサーチ帯域の順位に従って行う前記セルサーチ帯域での通常のセルサーチと、前記制限のかからなかった帯域での通常のセルサーチとのうちの少なくともいずれかを行い、
前記第２のサーチ手段は、前記セルサーチ帯域の順位において受信電力が予め設定された閾値以上のセルサーチ帯域に対して一括して前記通常のセルサーチを行うことを特徴とする携帯電話装置。
【請求項２】
少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行う第１のサーチ手段と、前記第１のサーチ手段によって制限されたセルサーチ帯域内の複数のキャリア各々に対してコード同定からコード電力測定までを行って仮待ち受けセルを決定する第２のサーチ手段とを有し、
前記第１のサーチ手段は、前記所定帯域の受信電力を測定可能な受信電力測定回路と、前記受信電力測定回路の測定結果をソートするバンドソート回路とからなり、
前記バンドソート回路は、前記測定結果から前記セルサーチ帯域の順位付け及び制限のうちの少なくとも一方を行い、
前記第２のサーチ手段は、前記セルサーチ帯域の順位に従って行う前記セルサーチ帯域での通常のセルサーチと、前記制限のかからなかった帯域での通常のセルサーチとのうちの少なくともいずれかを行い、
前記第２のサーチ手段は、前記セルサーチ帯域の順位において受信電力の高い順に予め設定された順位内のセルサーチ帯域に対して一括して前記通常のセルサーチを行うことを特徴とする携帯電話装置。
【請求項３】
前記第１のサーチ手段は、前記所定帯域の電力分布を前記全帯域で分割簡易サーチし、
前記第２のサーチ手段は、前記第１のサーチ手段で分割簡易サーチされたセルサーチ帯域のうちの電力分布の一番高いセルサーチ帯域から順次当該セルサーチ帯域内の複数のキャリア各々に対して通常のセルサーチを行うことを特徴とする請求項１または請求項２記載の携帯電話装置。
【請求項４】
前記所定帯域が５ＭＨｚ帯域であり、
前記全帯域を前記５ＭＨｚ帯域で分割して設定されたセルサーチ帯域内の２５キャリア各々に対して前記通常のセルサーチを行うことを特徴とする請求項３記載の携帯電話装置。
【請求項５】
少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行うための簡易サーチを行うステップと、前記簡易サーチによって制限されたセルサーチ帯域内の複数のキャリア各々に対してコード同定からコード電力測定までを行って仮待ち受けセルを決定するための通常バンドセルサーチを行うステップとを有し、
前記簡易サーチを行うステップにおいて、前記所定帯域の受信電力を測定可能な受信電力測定回路の測定結果をソートし、
前記測定結果から前記セルサーチ帯域の順位付け及び制限のうちの少なくとも一方を行い、
前記通常バンドセルサーチを行うステップにおいて、前記セルサーチ帯域の順位に従って行う前記セルサーチ帯域での通常のセルサーチと、前記制限のかからなかった帯域での通常のセルサーチとのうちの少なくともいずれかを行い、
前記通常バンドセルサーチを行うステップにおいて、前記セルサーチ帯域の順位において受信電力が予め設定された閾値以上のセルサーチ帯域に対して一括して前記通常のセルサーチを行うことを特徴とする高速バンドセルサーチ方法。
【請求項６】
少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行うための簡易サーチを行うステップと、前記簡易サーチによって制限されたセルサーチ帯域内の複数のキャリア各々に対してコード同定からコード電力測定までを行って仮待ち受けセルを決定するための通常バンドセルサーチを行うステップとを有し、
前記簡易サーチを行うステップにおいて、前記所定帯域の受信電力を測定可能な受信電力測定回路の測定結果をソートし、
前記測定結果から前記セルサーチ帯域の順位付け及び制限のうちの少なくとも一方を行い、
前記通常バンドセルサーチを行うステップにおいて、前記セルサーチ帯域の順位に従って行う前記セルサーチ帯域での通常のセルサーチと、前記制限のかからなかった帯域での通常のセルサーチとのうちの少なくともいずれかを行い、
前記通常バンドセルサーチを行うステップにおいて、前記セルサーチ帯域の順位において受信電力の高い順に予め設定された順位内のセルサーチ帯域に対して一括して前記通常のセルサーチを行うことを特徴とする高速バンドセルサーチ方法。
【請求項７】
前記簡易サーチを行うステップにおいて、前記所定帯域の電力分布を全帯域で分割簡易サーチし、
前記通常バンドセルサーチを行うステップにおいて、その分割簡易サーチされたセルサーチ帯域のうちの電力分布の一番高いセルサーチ帯域から順次当該セルサーチ帯域内の複数のキャリア各々に対して通常のセルサーチを行うことを特徴とする請求項５または請求項６記載の高速バンドセルサーチ方法。
【請求項８】
前記所定帯域が５ＭＨｚ帯域であり、
前記全帯域を前記５ＭＨｚ帯域で分割して設定されたセルサーチ帯域内の２５キャリア各々に対して前記通常のセルサーチを行うことを特徴とする請求項７記載の高速バンドセルサーチ方法。
【請求項９】
携帯電話装置内のコンピュータに実行させるためのプログラムであって、
少なくとも前記携帯電話装置において購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチバンド各々のサーチバンドの制限及び当該セルサーチ帯域各々の順位付けを行うための簡易サーチを行う処理と、前記簡易サーチによって制限されたセルサーチ帯域内の複数のキャリア各々に対してコード同定からコード電力測定までを行って仮待ち受けセルを決定する通常バンドセルサーチを行う処理とを含み、
前記簡易サーチを行う処理において、前記所定帯域の受信電力を測定可能な受信電力測定回路の測定結果をソートさせ、
前記測定結果から前記セルサーチ帯域の順位付け及び制限のうちの少なくとも一方を行わせ、
前記通常バンドセルサーチを行う処理において、前記セルサーチ帯域の順位に従って行う前記セルサーチ帯域での通常のセルサーチと、前記制限のかからなかった帯域での通常のセルサーチとのうちの少なくともいずれかを行わせ、
前記通常バンドセルサーチを行う処理において、前記セルサーチ帯域の順位において受信電力が予め設定された閾値以上のセルサーチ帯域に対して一括して前記通常のセルサーチを行わせることを特徴とするプログラム。
【請求項１０】
携帯電話装置内のコンピュータに実行させるためのプログラムであって、
少なくとも前記携帯電話装置において購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチバンド各々のサーチバンドの制限及び当該セルサーチ帯域各々の順位付けを行うための簡易サーチを行う処理と、前記簡易サーチによって制限されたセルサーチ帯域内の複数のキャリア各々に対してコード同定からコード電力測定までを行って仮待ち受けセルを決定する通常バンドセルサーチを行う処理とを含み、
前記簡易サーチを行う処理において、前記所定帯域の受信電力を測定可能な受信電力測定回路の測定結果をソートさせ、
前記測定結果から前記セルサーチ帯域の順位付け及び制限のうちの少なくとも一方を行わせ、
前記通常バンドセルサーチを行う処理において、前記セルサーチ帯域の順位に従って行う前記セルサーチ帯域での通常のセルサーチと、前記制限のかからなかった帯域での通常のセルサーチとのうちの少なくともいずれかを行わせ、
前記通常バンドセルサーチを行う処理において、前記セルサーチ帯域の順位において受信電力の高い順に予め設定された順位内のセルサーチ帯域に対して一括して前記通常のセルサーチを行わせることを特徴とするプログラム。
【発明の詳細な説明】
【０００１】
【発明の属する技術分野】
本発明は携帯電話装置及びそれに用いる高速バンドセルサーチ方法並びにそのプログラムに関し、特に３ＧＰＰ（３ｒｄ  Ｇｅｎｅｒａｔｉｏｎ  Ｐａｒｔｎｅｒｓｈｉｐ  Ｐｒｏｊｅｃｔ）で標準化（規定）されているＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）仕様におけるバンドセルサーチ方法に関する。
【０００２】
【従来の技術】
従来、携帯電話装置等の無線受信機においては、図８に示すように、アンテナから入力される高周波信号［以下、ＲＦ（Ｒａｄｉｏ  Ｆｒｅｑｕｅｎｃｙ）とする］が受信機２１に接続され、５ＭＨｚ帯域の受信電力［以下、ＲＳＳＩ（Ｒｅｃｅｉｖｅｄ  Ｓｉｇｎａｌ  Ｓｔｒｅｎｇｔｈ  Ｉｎｄｉｃａｔｏｒ）とする］を測定するＲＳＳＩ測定回路２２と、ある周波数においてセルサーチを行うセルサーチ回路２３とを具備し、受信機２１の出力であるベースバンド信号がＲＳＳＩ測定回路２２及びセルサーチ回路２３に接続されている。
【０００３】
上記の無線受信機では、新たに購入した際の最初の電源投入時、あるいは電源を切断してから長距離を移動し、その後に電源を入れる場合等の長時間圏外のいずれかにおいて位置登録すべき基地局を捜索するために全バンドセルサーチが行われる。この全バンドセルサーチ時に、無線受信機ではＲＳＳＩ測定回路２２及びセルサーチ回路２３各々の処理結果を基に仮待ち受けセルの決定が行われている。
【０００４】
３ＧＰＰで標準化（規定）されているＩＭＴ−２０００仕様において、周波数帯域２１１０〜２１７０ＭＨｚの６０ＭＨｚ帯域、且つ２００ＫＨｚ間隔の中心周波数を取りうる無線仕様の場合に周波数チャネル数が３００キャリアとなる。以下、これらのキャリア各々をＦＩＤ（Ｆｒｅｑｕｅｎｃｙ  ＩＤ）１〜３００とも表す。
【０００５】
【発明が解決しようとする課題】
上記の３００キャリアに対しては、１キャリア当たり、スロット同期〜コード同定（Ｓｔｅｐ１〜Ｓｔｅｐ３）及びＲＳＣＰ（Ｒｅｃｅｉｖｅｄ  Ｓｉｇｎａｌ  Ｃｏｄｅ  Ｐｏｗｅｒ）［ＣＰＩＣＨ（Ｃｏｍｍｏｎ  Ｐｉｌｏｔ  Ｃｈａｎｎｅｌ）の受信パワー］測定までを行うと、かなりの時間（例えば、１キャリア当たり１００ｍｓとする）を要することになる。
【０００６】
したがって、従来の無線受信機では、ＦＩＤ３００にのみにセルが存在するとして、電源投入直後等に昇順に各ＦＩＤをサーチすると、３００キャリアサーチすることになり、セルの検出までに非常に時間がかかる（例えば、３０ｓｅｃ）という問題がある。
【０００７】
そこで、本発明の目的は上記の問題点を解消し、高速にセルサーチ（仮待ち受けセルの決定）を行うことができる携帯電話装置及びそれに用いる高速バンドセルサーチ方法並びにそのプログラムを提供することにある。
【０００８】
【課題を解決するための手段】
本発明による携帯電話装置は、少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行う第１のサーチ手段と、前記第１のサーチ手段によって制限されたセルサーチ帯域内の複数のキャリア各々に対してコード同定からコード電力測定までを行って仮待ち受けセルを決定する第２のサーチ手段とを備え、
前記第１のサーチ手段は、前記所定帯域の受信電力を測定可能な受信電力測定回路と、前記受信電力測定回路の測定結果をソートするバンドソート回路とからなり、
前記バンドソート回路は、前記測定結果から前記セルサーチ帯域の順位付け及び制限のうちの少なくとも一方を行い、
前記第２のサーチ手段は、前記セルサーチ帯域の順位に従って行う前記セルサーチ帯域での通常のセルサーチと、前記制限のかからなかった帯域での通常のセルサーチとのうちの少なくともいずれかを行い、
前記第２のサーチ手段は、前記セルサーチ帯域の順位において受信電力が予め設定された閾値以上のセルサーチ帯域に対して一括して前記通常のセルサーチを行っている。
【０００９】
本発明による高速バンドセルサーチ方法は、少なくとも購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチ帯域各々のサーチバンドの制限及び当該セルサーチ帯域各々の順位付けを行うための簡易サーチを行うステップと、前記簡易サーチによって制限されたセルサーチ帯域内の複数のキャリア各々に対してコード同定からコード電力測定までを行って仮待ち受けセルを決定するための通常バンドセルサーチを行うステップとを備え、
前記簡易サーチを行うステップにおいて、前記所定帯域の受信電力を測定可能な受信電力測定回路の測定結果をソートし、
前記測定結果から前記セルサーチ帯域の順位付け及び制限のうちの少なくとも一方を行い、
前記通常バンドセルサーチを行うステップにおいて、前記セルサーチ帯域の順位に従って行う前記セルサーチ帯域での通常のセルサーチと、前記制限のかからなかった帯域での通常のセルサーチとのうちの少なくともいずれかを行い、
前記通常バンドセルサーチを行うステップにおいて、前記セルサーチ帯域の順位において受信電力が予め設定された閾値以上のセルサーチ帯域に対して一括して前記通常のセルサーチを行っている。
【００１０】
本発明によるプログラムは、携帯電話装置内のコンピュータに実行させるためのプログラムであって、
少なくとも前記携帯電話装置において購入後の最初の電源投入時及び長時間圏外のいずれかで行う全バンドセルサーチ時に全帯域を予め設定された所定帯域で分割して設定されたセルサーチ帯域の電力分布を測定してその分割されたセルサーチバンド各々のサーチバンドの制限及び当該セルサーチ帯域各々の順位付けを行うための簡易サーチを行う処理と、前記簡易サーチによって制限されたセルサーチ帯域内の複数のキャリア各々に対してコード同定からコード電力測定までを行って仮待ち受けセルを決定する通常バンドセルサーチを行う処理とを含み、
前記簡易サーチを行う処理において、前記所定帯域の受信電力を測定可能な受信電力測定回路の測定結果をソートさせ、
前記測定結果から前記セルサーチ帯域の順位付け及び制限のうちの少なくとも一方を行わせ、
前記通常バンドセルサーチを行う処理において、前記セルサーチ帯域の順位に従って行う前記セルサーチ帯域での通常のセルサーチと、前記制限のかからなかった帯域での通常のセルサーチとのうちの少なくともいずれかを行わせ、
前記通常バンドセルサーチを行う処理において、前記セルサーチ帯域の順位において受信電力が予め設定された閾値以上のセルサーチ帯域に対して一括して前記通常のセルサーチを行わせることを特徴とする。
【００１１】
すなわち、本発明の高速バンドセルサーチ方法は、ＩＭＴ−２０００方式の携帯電話装置［以下、ＭＳ（Ｍｏｂｉｌｅ  Ｓｔａｔｉｏｎ）とする］において、特に購入後の最初の電源投入時及び長時間圏外等で行う全バンドセルサーチ時に全帯域の電力分布を測定し、サーチバンドの制限及び順位付けを行うための簡易サーチ、簡易サーチで制限されたサーチ帯域内をコード同定〜コード電力［以下、ＲＳＣＰ（Ｒｅｃｅｉｖｅｄ  Ｓｉｇｎａｌ  Ｃｏｄｅ  Ｐｏｗｅｒ）とする］測定［ＣＰＩＣＨ（Ｃｏｍｍｏｎ  Ｐｉｌｏｔ  Ｃｈａｎｎｅｌ）の受信パワー測定］までを行い、仮待ち受けセルを決定する通常バンドセルサーチという２段階に分けてサーチすることによって、高速にセルサーチ（仮待ち受けセルの決定）を行うことを特徴とする。
【００１２】
より具体的に説明すると、本発明のＭＳでは、５ＭＨｚ帯域の受信電力［以下、ＲＳＳＩ（Ｒｅｃｅｉｖｅｄ  Ｓｉｇｎａｌ  Ｓｔｒｅｎｇｔｈ  Ｉｎｄｉｃａｔｏｒ）とする］を測定するＲＳＳＩ測定回路と、ＲＳＳＩの高い順のソート及びある帯域のセルサーチを指示するバンドソート回路と、ある周波数においてセルサーチを行うセルサーチ回路とを具備し、バンドソート回路がＲＳＳＩ回路で測定された結果を基にサーチする周波数帯域を限定、またはサーチする帯域の順位をつけてセルサーチ回路に通知し、セルサーチ回路でセルサーチを行っている。
【００１３】
本発明のＭＳでは、拡散された５ＭＨｚ帯域の電力分布を全帯域で１２分割簡易サーチし、電力分布の一番高い帯域の２５キャリアから通常セルサーチを行うという２段階サーチを行っているため、全バンドセルサーチを行う場合に、高速にセルサーチ（仮待ち受けセルの決定）を行うことが可能となる。
【００１４】
具体的には、サーチ時間に１キャリア当たり１００ｍｓ程度要すると仮定した場合、従来の技術では３００キャリアサーチするのに３０秒程度かかっているが、本発明では簡易サーチ（１２キャリア）と、通常セルサーチ（２５キャリア）との合計３７キャリアをサーチするだけであり、それらに３．７秒の時間がかかるだけなので、サーチ時間を約１／８に短縮することが可能となる。
【００１５】
【発明の実施の形態】
次に、本発明の実施例について図面を参照して説明する。図１は本発明の一実施例による携帯電話装置［以下、ＭＳ（Ｍｏｂｉｌｅ  Ｓｔａｔｉｏｎ）とする］の構成を示すブロック図であり、図２は本発明の一実施例によるＭＳの動作を説明するための電力分布の一例を示す図である。
【００１６】
図１において、ＭＳ１は受信機１１と、５ＭＨｚ帯域の受信電力［以下、ＲＳＳＩ（Ｒｅｃｅｉｖｅｄ  Ｓｉｇｎａｌ  Ｓｔｒｅｎｇｔｈ  Ｉｎｄｉｃａｔｏｒ）とする］測定回路１２と、バンドソート回路１３と、セルサーチ回路１４と、記録媒体１５とから構成されている。記録媒体１５にはＭＳ１の主構成要素であるコンピュータが実行するプログラムが格納されている。
【００１７】
受信機１１には無線受信機のアンテナ（ＡＮＴ）で受信される高周波信号［以下、ＲＦ（Ｒａｄｉｏ  Ｆｒｅｑｕｅｎｃｙ）とする］が入力され、受信機１１の出力であるベースバンド信号がＲＳＳＩ測定回路１２及びセルサーチ回路１４に入力される。
【００１８】
バンドソート回路１３はＲＳＳＩ測定回路１２で測定されたＲＳＳＩが入力されると、それを基に周波数帯域及び周波数情報を決定する。バンドソート回路１３で決定される周波数帯域及び周波数情報は受信機１１及びセルサーチ回路１４に通知される。
【００１９】
ここで、まず３ＧＰＰで標準化（規定）されているＩＭＴ−２０００仕様について簡単に説明する。ＩＭＴ−２０００周波数帯域として下り信号は２１１０〜２１７０ＭＨｚの６０ＭＨｚ帯域、且つ２００ＫＨｚ間隔の中心周波数を取りうる無線仕様である。
【００２０】
そのため、周波数チャネル数が３００キャリアとなる。以下、これらのキャリア各々をＦＩＤ（Ｆｒｅｑｕｅｎｃｙ  ＩＤ）１〜３００とも表す。また、Ｗ−ＣＤＭＡ（Ｗｉｄｅ  Ｂａｎｄ−Ｃｏｄｅ  Ｄｉｖｉｓｉｏｎ  Ｍｕｌｔｉｐｌｅ  Ａｃｃｅｓｓ）方式を採用しており、チップレート３．８４Ｍｃｐｓで拡散及びロールオフα＝０．２２で帯域制限を掛けているため、１キャリア当たりの無線帯域としては、約５ＭＨｚとなることから、全６０ＭＨｚ帯域においては、無線干渉等を考慮するならば、１エリア最大１２キャリアまでしか存在しないことになる。
【００２１】
これら１２キャリアの各々においては２００ＫＨｚ間隔でキャリアを指定することができ、サービスエリアの事情によって、図２に示すように、中心周波数を微調整する（例えば、４００ＫＨｚずらす）ことができるように考慮されて、規定されているものである。尚、この周波数のずれに対しては、そのずれを考慮した分割サーチ、そのずれを無視した分割サーチのいずれの方法を用いてもよい。
【００２２】
したがって、ここでは全６０ＭＨｚの帯域を１キャリア当たりの占有帯域５ＭＨｚで分割すると、１２帯域となり、その帯域はＦＩＤ（２５＊（ｋ−１）＋１）〜ＦＩＤ（２５＊ｋ）（：ｋ＝１〜１２）と表すことができる。上記の各帯域をＢａｎｄ（ｋ）と表し、そのＢａｎｄ（ｋ）の中心周波数をＦＩＤ（ｋ）（：ｋ＝１〜１２）とする。
【００２３】
図３は本発明の一実施例によるＭＳ１の動作を示すフローチャートである。これら図１〜図３を参照して本発明の一実施例によるＭＳ１の動作について説明する。尚、図３に示す処理動作はＭＳ１のコンピュータが記録媒体１５のプログラムを実行することで実現される。
【００２４】
ＭＳ１が全バンド（３００キャリア）セルサーチを行う場合、上述したように、予め全帯域を１２分割した帯域［Ｂａｎｄ（ｋ）］の中心周波数ＦＩＤ（ｋ）（：ｋ＝１〜１２）で簡易サーチを行う。
【００２５】
具体的には、アンテナ（ＡＮＴ）から入力されるＦＩＤ（１）におけるＲＦ信号が受信機１１へと入力され、ベースバンド信号（０周波数）に変換される。その変換されたベースバンド信号によって５ＭＨｚ帯域の電力を測定することができるＲＳＳＩ測定回路１２へと入力され、ＲＳＳＩ（１）が測定される。ＦＩＤ（２）〜ＦＩＤ（１２）へ対しても、上記と同様にして、ＲＳＳＩ（ｉ）（：ｉ＝２〜１２）が測定される（図３ステップＳ１，Ｓ２）。
【００２６】
バンドソート回路１３は測定されたＲＳＳＩ（ｉ）を高い順にソートし（図３ステップＳ３〜Ｓ５）、受信機１１及びセルサーチ回路１４に対して、最も高いＲＳＳＩを検出した帯域Ｂａｎｄ（ｋ）の全ＦＩＤ（（２５＊ｋ−１）＋１）〜ＦＩＤ（２５＊ｋ）の２５キャリアの通常セルサーチを行うように指示する。
【００２７】
通常セルサーチとは、３ＧＰＰ：ＴＳ２５．２１４  Ａｎｎｅｘ  ＣにおけるＣｅｌｌ  ｓｅａｒｃｈ  ｐｒｏｃｅｄｕｒｅで推奨されているＳｔｅｐ１（ｓｌｏｔタイミング同定）、Ｓｔｅｐ２［ｆｒａｍｅタイミング及びＰＳＣ（Ｐｒｉｍａｒｙ  Ｓｃｒａｍｂｌｉｎｇ  Ｃｏｄｅ）グループ同定］、Ｓｔｅｐ３（ＰＳＣ同定）、及びＲＳＣＰ（Ｒｅｃｅｉｖｅｄ  Ｓｉｇｎａｌ  Ｃｏｄｅ  Ｐｏｗｅｒ）［ＣＰＩＣＨ（Ｃｏｍｍｏｎ  Ｐｉｌｏｔ  Ｃｈａｎｎｅｌ）の受信パワー］測定までを行うことを意味する。
【００２８】
通常セルサーチは制限された帯域Ｂａｎｄ（ｋ）の２５キャリア全てに対して行われ、ＰＳＣ同定を行うことができたセルの中で一番ＲＳＣＰの高いセルに対して仮待ち受けセルとする（図３ステップＳ４，Ｓ５）。
【００２９】
ＭＳ１は仮待ち受けセルに対して報知情報取得、位置登録を試みて成功すれば、待ち受けセルとなる。失敗すれば、先の通常セルサーチを行った中でＰＳＣ同定ができ、且つＲＳＣＰが二番目に高いセルに対して同様に位置登録を試みる。以後、成功するまで、または該当セルがなくなるまで実行する。
【００３０】
例えば、測定されたＲＳＳＩ（ｉ）を高い順にソートした場合、ＲＳＳＩ（１）＝−５０ｄＢｍ：ＦＩＤ（３）、ＲＳＳＩ（２）＝−６０ｄＢｍ：ＦＩＤ（７）、ＲＳＳＩ（３）＝−７０ｄＢｍ：ＦＩＤ（１）、・・・、ＲＳＳＩ（１２）＝−１００ｄＢｍ：ＦＩＤ（１０）という順番になったとすると、バンドソート回路１３は受信機１１及びセルサーチ回路１４に対して最も高いＦＩＤ（３）の２５キャリアに対する通常セルサーチを指示する。
【００３１】
また、このＦＩＤ（３）の２５キャリアに対する通常セルサーチの結果をＲＳＣＰの高い順にソートした場合、Ｃｅｌｌ（１５）＝−７０ｄＢｍ、Ｃｅｌｌ（２）＝−７５ｄＢｍ、Ｃｅｌｌ（２３）＝−７８ｄＢｍ、・・・、Ｃｅｌｌ（７）＝−９０ｄＢｍという順番になったとすると、これらのセルの中で一番ＲＳＣＰの高いセルＣｅｌｌ（１５）が、セルサーチ回路１４から仮待ち受けセルとして出力される。
【００３２】
Ｂａｎｄ（ｋ）にて該当セルがなくなった場合には、バンドソート回路１３によってＲＳＳＩの高い順にソートされた次の帯域Ｂａｎｄ（ｋ‘）で通常セルサーチを行う。以後、上記と同様の動作を繰り返す。
【００３３】
また、ここでは、バンドソート回路１３と表現しているが、図３に示す処理をコンピュータ［ＣＰＵ（中央演算処理回路）］が記録媒体１５のプログラム（ソフトウェア）を実行することで本機能を実現してもよい。
【００３４】
このように、本実施例では、拡散された５ＭＨｚ帯域の電力分布を全帯域で１２分割簡易サーチし、電力分布の一番高い帯域の２５キャリアから通常セルサーチを行うという２段階サーチを行うことによって、全バンドセルサーチを行う場合に、高速にセルサーチ（仮待ち受けセルの決定）を行うことができる。
【００３５】
具体的には、１キャリア当たり１００ｍｓ程度要すると仮定した場合に、従来では３００キャリアサーチするのに３０秒程度かかっているが、本実施例では、簡易サーチ（１２キャリア）と通常セルサーチ（２５キャリア）との合計３７キャリアをサーチするだけなので、サーチ時間が３．７秒となり、約１／８に短縮することができる。
【００３６】
図４は本発明の他の実施例によるＭＳの動作を説明するための電力分布の一例を示す図であり、図５は本発明の他の実施例によるＭＳの動作を説明するための電力分布の他の例を示す図である。これら図４及び図５において、本発明の一実施例では全帯域の電力分布を測定するのに１キャリア当たり５ＭＨｚの帯域を持つことによって１２分割としているが、本発明の他の実施例では、精度を上げるために、２４分割としている。
【００３７】
図４においては、全帯域の電力分布を測定するのに１キャリア当たり５ＭＨｚの帯域を持ち、５ＭＨｚ帯域電力測定回路を用い、その測定帯域を２．５ＭＨｚずつずらして重複しながら測定していくことで２４分割を実現し、測定精度を上げる例を示している。
【００３８】
また、図５においては、全帯域の電力分布を測定するのに１キャリア当たり５ＭＨｚの帯域を持ち、２．５ＭＨｚ帯域電力測定回路を用い、その測定帯域を２．５ＭＨｚずつ、重複なしに測定していくことで２４分割を実現し、測定精度を上げる例を示している。この場合、図４に示す例では簡易サーチ（２４キャリア）と通常セルサーチ（２５キャリア）との合計４９キャリアをサーチするのに対し、図５に示す例では簡易サーチ（２４キャリア）と通常セルサーチ（１３キャリア）との合計３７キャリアをサーチすることになり、上記の例と同じ３７キャリアでありながら、測定精度を上げることができる。
【００３９】
図６は本発明の別の実施例によるＭＳの動作を説明するための電力分布の一例を示す図である。この図６において、本発明の一実施例では簡易サーチで全帯域をＲＳＳＩの高い順にソートし、通常セルサーチを行うとしているが、本発明の別の実施例ではＲＳＳＩに閾値ａを設け、閾値ａ以下の帯域に関しては通常セルサーチに行かないようにし、また閾値ａ以上の帯域を一括して通常セルサーチを行うようにしている。
【００４０】
図６においては、Ｂａｎｄ（２），Ｂａｎｄ（３）が閾値ａ以上となっているので、Ｂａｎｄ（２），Ｂａｎｄ（３）の帯域それぞれの２５キャリアを一括して通常セルサーチを行うこととなる。
【００４１】
図７は本発明のさらに別の実施例によるＭＳの動作を示すフローチャートである。この図７を参照して本発明のさらに別の実施例によるＭＳの動作について説明する。尚、本発明のさらに別の実施例によるＭＳの構成は図１に示す本発明の一実施例によるＭＳの構成と同様であり、図７に示す処理動作はＭＳ１のコンピュータが記録媒体１５のプログラムを実行することで実現される。
【００４２】
ＭＳ１が全バンド（３００キャリア）セルサーチを行う場合、上述したように、予め全帯域を１２分割した帯域［Ｂａｎｄ（ｋ）］の中心周波数ＦＩＤ（ｋ）（：ｋ＝１〜１２）で簡易サーチを行う。
【００４３】
具体的には、アンテナ（ＡＮＴ）から入力されるＦＩＤ（１）におけるＲＦ信号が受信機１１へと入力され、ベースバンド信号（０周波数）に変換される。その変換されたベースバンド信号によって５ＭＨｚ帯域の電力を測定することができるＲＳＳＩ測定回路１２へと入力され、ＲＳＳＩ（１）が測定される。ＦＩＤ（２）〜ＦＩＤ（１２）へ対しても、上記と同様にして、ＲＳＳＩ（ｉ）（：ｉ＝２〜１２）が測定される（図７ステップＳ１１，Ｓ１２）。
【００４４】
バンドソート回路１３は測定されたＲＳＳＩ（ｉ）を高い順にソートし（図７ステップＳ１３）、受信機１１及びセルサーチ回路１４に対して、そのソート結果において高位の複数の帯域Ｂａｎｄ（ｋ）の全ＦＩＤ（（２５＊ｋ−１）＋１）〜ＦＩＤ（２５＊ｋ）の２５キャリアに対して、一括して通常セルサーチを行うように指示する（図７ステップＳ１４）。
【００４５】
通常セルサーチは制限された帯域Ｂａｎｄ（ｋ）の２５キャリア全てに対して行われ、ＰＳＣ同定を行うことができたセルの中で一番ＲＳＣＰの高いセルに対して仮待ち受けセルとする（図７ステップＳ１５〜Ｓ１７）。
【００４６】
尚、本発明では、制限された帯域の２５キャリア全てに対して、ＰＳＣ同定〜ＲＳＣＰ測定を行ってＲＳＣＰが一番高いセルを仮待ち受けセルとしているが、例えば２５キャリア中1 キャリア目でＰＳＣ同定、予め決められたＲＳＣＰ閾値以上のセルを検出することができた場合には、以後のキャリアに対して通常セルサーチを行わずに、１キャリア目を仮待ち受けセルとしてもよい。
【００４７】
また、本発明では、全バンド（６０ＭＨｚ帯域）サーチとしているが、例えば半分の３０ＭＨｚ帯域サーチや１／４の１５ＭＨｚ帯域サーチを実施する場合にも、上記と同じ手法で実施してもよい。
【００４８】
さらに、本発明では、１キャリア当たりの無線伝送帯域が５ＭＨｚ以外、例えば１０ＭＨｚ等に対しても適応可能となる。
【００４９】
【発明の効果】
以上説明したように本発明は、少なくとも電源投入時及び長時間圏外のいずれかで行う全バンドセルサーチ時に全帯域の電力分布を測定してサーチ帯域の制限及び順位付けを行うための簡易サーチを行い、その簡易サーチによって制限されたサーチ帯域内をコード同定からコード電力測定までを行って仮待ち受けセルを決定する通常バンドセルサーチを行うことによって、高速にセルサーチ（仮待ち受けセルの決定）を行うことができるという効果が得られる。
【図面の簡単な説明】
【図１】本発明の一実施例による携帯電話装置の構成を示すブロック図である。
【図２】本発明の一実施例によるＭＳの動作を説明するための電力分布の一例を示す図である。
【図３】本発明の一実施例によるＭＳの動作を示すフローチャートである。
【図４】本発明の他の実施例によるＭＳの動作を説明するための電力分布の一例を示す図である。
【図５】本発明の他の実施例によるＭＳの動作を説明するための電力分布の他の例を示す図である。
【図６】本発明の別の実施例によるＭＳの動作を説明するための電力分布の一例を示す図である。
【図７】本発明のさらに別の実施例によるＭＳの動作を示すフローチャートである。
【図８】従来例による携帯電話装置の構成を示すブロック図である。
【符号の説明】
１  携帯電話装置
１１  受信機
１２  ＲＳＳＩ測定回路
１３  バンドソート回路
１４  セルサーチ回路
１５  記録媒体
【図１】
0004193417.tif 000002
【図２】
0004193417.tif 000003
【図３】
0004193417.tif 000004
【図４】
0004193417.tif 000005
【図５】
0004193417.tif 000006
【図６】
0004193417.tif 000007
【図７】
0004193417.tif 000008
【図８】
0004193417.tif 000009